(57)【特許請求の範囲】
【請求項１】
断熱箱体からなる貯蔵庫本体に設けられた前面開口部には、左右一対の断熱扉が観音開き式の開閉可能に設けられ、
各断熱扉の裏面における揺動支点側の側縁並びに上下両側縁に亘って第１パッキンがコ字形の配置で装着され、かつこの第１パッキンには内側に延びて断熱扉の前記裏面に密着可能なひれ部が設けられるとともに、各断熱扉の揺動端側の側縁には上下方向に延びた第２パッキンが設けられ、
前記両断熱扉の閉鎖時には前記第１パッキンが前記貯蔵庫本体の前記前面開口部の対応する表面側の口縁に当接するとともに、前記第２パッキン同士が当接し合うことにより前記前面開口部がシールされるようにした冷却貯蔵庫の扉装置において、
前記断熱扉の裏面における前記第１パッキンの装着位置の内側には、突堤がコ字形の配置で突出形成され、この突堤における上下の辺の先端部では、その外側面が先端縁に向けて次第に内側に傾斜した傾斜面とされていることを特徴とする冷却貯蔵庫の扉装置。
【請求項２】
前記断熱扉の裏面の揺動端側には前記第２パッキンの結露防止用のヒータが埋設されたものであって、前記突堤の上辺における前記外側面が、前記断熱扉の前記裏面に対して９０度以下の角度をなして立ち上がり形成されていることを特徴とする請求項１記載の冷却貯蔵庫の扉装置。
【請求項３】
前記突堤の上辺における先端部では、その頂面の高さが先端縁に向けて次第に低くなる傾斜状に形成されていることを特徴とする請求項２記載の冷却貯蔵庫の扉装置。
【請求項４】
前記断熱扉の裏面における揺動端側の側縁には上下方向に延びた装着凹溝が形成され、同装着凹溝の底面には前記ヒータが設けられた放熱板が張設されて、同放熱板の外側の端縁が前記断熱扉の揺動端側の端面から張り出して設けられているとともに、
前記装着凹部を覆うように装着された支持部材における外側の端縁には前記第２パッキンが支持され、この第２パッキンの庫外側の面が前記放熱板の張出部で覆われているものであって、
前記突堤の上辺の先端縁が、前記放熱板の上方に対応する位置まで延出されていることを特徴とする請求項２または請求項３記載の冷却貯蔵庫の扉装置。
【請求項５】
前記装着凹溝の上縁が、前記第１パッキンの前記ひれ部の密着位置よりも内側に控えた形態で形成されていることを特徴とする請求項４記載の冷却貯蔵庫の扉装置。
【発明の詳細な説明】
【技術分野】
【０００１】
本発明は、冷却貯蔵庫に装備された観音開き式の扉装置に関する。
【背景技術】
【０００２】
この種の扉装置を備えた冷凍庫は下記特許文献１に記載されており、具体的には、冷凍庫本体の前面開口部に左右一対の断熱扉が観音開き式の開閉可能に設けられ、各断熱扉の裏面における揺動支点側の側縁並びに上下両側縁に亘って第１パッキンがコ字形の配置で装着され、かつこの第１パッキンには内側に延びて断熱扉の裏面に密着するひれ部が設けられるとともに、各断熱扉の揺動端側の側縁には上下方向に延びた第２パッキンが設けられた構造である。  
そして、両断熱扉の閉鎖時には第１パッキンが冷凍庫本体の前面開口部の対応する表面側の口縁に当接するとともに、第２パッキン同士が当接し合うことによって、前面開口部がシールされるようになっている。また、第１パッキンに設けたひれ部が断熱扉の裏面に密着していることによって、庫内冷気が第１パッキンの庫内側の面に直接当たることを防ぐようになっている。
【０００３】
ここで近年、この種の扉装置において、断熱扉の裏面における第１パッキンの装着位置の内側に、コ字形の配置で突堤を突出形成したものが提案されている。このような突堤を設けることにより、庫内冷気が第１パッキンにおける庫内側の面に直接当たることが規制されて第１パッキンが冷却されることが抑制され、すなわち外気との熱交換が抑えられて冷却効率が高められ、また、第１パッキンへの結露防止用に装備されるヒータの容量が抑えられること等が図られる。
【先行技術文献】
【特許文献】
【０００４】
【特許文献１】特開２０００−２１３８５７号公報
【発明の概要】
【発明が解決しようとする課題】
【０００５】
上記のように突堤を設けた場合は、ひれ部を含めて従前と同一構造の第１パッキンを適用すると、ひれ部の先端が突堤の外側面における裾部に対して立ち上がった形態で密着することになるが、突堤はコ字形にしか配設できない関係上、突堤の上辺と下辺では開放された先端を持つことになり、各突堤の先端から先の部分では、ひれ部は断熱扉の裏面から浮いた状態になる。そのため、ひれ部が浮いた箇所では、庫内冷気がひれ部の裏側に侵入して第１パッキンの庫内側の面に直接に当たり、第１パッキンが不必要に冷却されることで外熱の侵入を助長する等の不具合があり、さらなる改善が切望されていた。  
本発明は上記のような事情に基づいて完成されたものであって、その目的は、第１パッキンに設けられたひれ部を断熱扉の裏面に確実に密着させることができるようにするところにある。
【課題を解決するための手段】
【０００６】
本発明は、断熱箱体からなる貯蔵庫本体に設けられた前面開口部には、左右一対の断熱扉が観音開き式の開閉可能に設けられ、各断熱扉の裏面における揺動支点側の側縁並びに上下両側縁に亘って第１パッキンがコ字形の配置で装着され、かつこの第１パッキンには内側に延びて断熱扉の前記裏面に密着可能なひれ部が設けられるとともに、各断熱扉の揺動端側の側縁には上下方向に延びた第２パッキンが設けられ、前記両断熱扉の閉鎖時には前記第１パッキンが前記貯蔵庫本体の前記前面開口部の対応する表面側の口縁に当接するとともに、前記第２パッキン同士が当接し合うことにより前記前面開口部がシールされるようにした冷却貯蔵庫の扉装置において、前記断熱扉の裏面における前記第１パッキンの装着位置の内側には、突堤がコ字形の配置で突出形成され、この突堤における上下の辺の先端部では、その外側面が先端縁に向けて次第に内側に傾斜した傾斜面とされているところに特徴を有する。
【０００７】
第１パッキンに設けられたひれ部は、上辺並びに下辺の突堤についてはほぼ立ち上がった姿勢を採ってその外側面に密着するが、それぞれの先端部では、その外側面が先下がりの傾斜面となっているから、ひれ部は次第に傾きを緩やかにしながら先端部の外側面に連続して密着し、先端縁を越えたところではほぼ寝た姿勢となって断熱扉の裏面に密着する。  
すなわち、第１パッキンの装着位置の内側に突堤を設けてもなお、第１パッキンから延出形成されたひれ部を、全長に亘って断熱扉の裏面に密着させることができ、庫内冷気がひれ部の裏側に侵入して第１パッキンの庫内側の面に直接に当たることが防止される。
【０００８】
また、以下のような構成としてもよい。  
（１）前記断熱扉の裏面の揺動端側には前記第２パッキンの結露防止用のヒータが埋設されたものであって、前記突堤の上辺における前記外側面が、前記断熱扉の前記裏面に対して９０度以下の角度をなして立ち上がり形成されている。  
第１パッキンの両端と第２パッキンの上下両端との間は正確には連続していないため、僅かではあっても隙間ができる可能性があり、その隙間から外気が侵入するおそれがある。その場合に外気は、突堤における上下の辺の先端部の外側面に向けて侵入しやすいと言え、結露が生じる可能性がある。特に、突堤の上辺の先端部における外側面に生じた結露水について、同突堤の頂面を越えて断熱扉の裏面を下方に向けて伝うように流下すると、庫内冷気に晒されることで氷結し次第に成長するおそれがある。  
それに対して、突堤の上辺の先端部では外側面が先下がりの傾斜面とされているから、同外側面に生じた結露水は、傾斜に沿って流れて先端縁から断熱扉の裏面における揺動端上を下方に向けて伝うように作用する。ここで、断熱扉の裏面の揺動端側では、第２パッキンの結露防止用のヒータが埋設されて昇温されているから、突堤の上辺の外側面（傾斜面）の先端縁から断熱扉の裏面に向けて流下したとしても、氷結はし難い。
【０００９】
一方、この種の突堤を成形する場合は、型抜きの構造上の関係から、突堤の内外の側面は、断熱扉の裏面に対して高さ方向に順テーパ状の傾斜をなすように形成されるのが普通である。そうすると、突堤の上辺の先端部の外側面に生じた結露水が、長さ方向の傾斜に沿って流れる前に、高さ方向の傾斜に沿って流れて頂面を越えて断熱扉の裏面側に流下し、氷結を招くことが懸念される。  
その点本構成では、突堤の上辺の先端部における外側面が、断熱扉の裏面に対して直角に若しくは逆テーパ状に傾斜して形成されているから、突堤の上辺の先端部の外側面に生じた結露水は、高さ方向については頂面を越えることなく外側面上に留まり、長さ方向の傾斜のみに従って流下して、確実に先端縁から断熱扉の揺動端側の裏面上を下方に向けて伝うことになる。その結果、結露水の氷結が確実に防止される。
【００１０】
（２）前記突堤の上辺における先端部では、その頂面の高さが先端縁に向けて次第に低くなる傾斜状に形成されている。  
突堤の上辺の先端部の外側面に生じた結露水が仮に頂面側に回り込んだとしても、同頂面の傾斜に倣って伝うようにして先端縁側に導かれ、昇温部分に向けて流れるようになる。  
また、突堤の上辺の先端部の外側面側で抜き勾配について厳しくなるが、同先端部の高さを先下がりとしたことにより全体的な抜きの厳しさが緩和される。
【００１１】
（３）前記断熱扉の裏面における揺動端側の側縁には上下方向に延びた装着凹溝が形成され、同装着凹溝の底面には前記ヒータが設けられた放熱板が張設されて、同放熱板の外側の端縁が前記断熱扉の揺動端側の端面から張り出して設けられているとともに、前記装着凹部を覆うように装着された支持部材における外側の端縁には前記第２パッキンが支持され、この第２パッキンの庫外側の面が前記放熱板の張出部で覆われているものであって、前記突堤の上辺の先端縁が、前記放熱板の上方に対応する位置まで延出されている。  
突堤の上辺の先端部における外側面に生成された結露水は、傾斜に倣って流下して先端縁から下方に流れ落ちるが、同先端縁が放熱板の上方に対応する位置まで延出されて昇温された箇所に向けられるから、結露水の氷結がより確実に防止される。
【００１２】
（４）前記装着凹溝の上縁が、前記第１パッキンの前記ひれ部の密着位置よりも内側に控えた形態で形成されている。  
仮に第１パッキンの両端と第２パッキンの上下両端との間にできた隙間等から外気が侵入したとしても、装着凹溝の上縁と第１パッキンのひれ部の密着位置との間が塞がれた状態にあるから、侵入した外気がさらに装着凹溝内に侵入することが防止される。その結果、装着凹溝内（支持部材の裏面）で結露したり、外気がさらに庫内に漏れ出ることが防止される。
【発明の効果】
【００１３】
本発明によれば、第１パッキンに設けられたひれ部を断熱扉の裏面に確実に密着させることができる。
【図面の簡単な説明】
【００１４】
【図１】本発明の一実施形態に係る冷凍庫の正面図
【図２】その縦断面図
【図３】左右の断熱扉が閉じた状態の背面図
【図４】内装パックの正面図
【図５】第１パッキンの断面図
【図６】第２パッキン並びにその支持部材を除去した状態の断熱扉の背面図
【図７】放熱板が除去された状態の図６のVII−VII線断面図
【図８】第２パッキン並びに放熱板の装着部分の断面図
【図９】断熱扉の揺動端側の上部角部の構造を示す一部切欠正面図
【図１０】その一部切欠平面図
【図１１】その一部切欠側面図
【図１２】図９のXII−XII線断面図
【発明を実施するための形態】
【００１５】
＜実施形態＞
本発明の一実施形態を図１ないし図１２に基づいて説明する。この実施形態では、４ドアのワイドスルー式の縦型冷凍庫を例示している。  
まず、図１及び図２において全体構造を説明する。冷凍庫本体１０は、前面が開口された縦長の断熱箱体によって形成され、底面に配された脚１１で支持されているとともに、上面には機械室１２が設けられている。冷凍庫本体１０の内部は貯蔵室１３とされ、前面開口部１４の中央高さ位置には、横向きの前面仕切枠１５が装着されることで、上下２段の出入口１６が形成されている。  
上下の各出入口１６には、詳しくは後記する左右一対ずつの断熱扉３０が観音開き式の開閉可能に装着されている。一対の断熱扉３０は、それぞれ外側の縦縁の上下両端が、ヒンジ２９を介して縦軸回りの回動可能に支持されている。上段の断熱扉３０では、正面の下縁部における互いに対向する端部に寄った位置に、また下段の断熱扉３０では、正面の上縁部における互いに対向する端部に寄った位置に、それぞれ開閉操作用の把手３０Ｂが設けられている。
【００１６】
ここで各出入口１６には縦向きの前面仕切枠は設けられておらず、左右の断熱扉３０では、閉鎖時に互いに対向する揺動端側の縦縁を除いた他の３縁辺については、出入口１６の口縁に密着する第１のマグネットパッキン５０（以下、第１パッキン５０という）が裏面上にコ字形の配置で装着されている一方、揺動端側の縦縁では、端面から突出して互いに突き合うようにして第２のマグネットパッキン６０（以下、第２パッキン６０という）が装着されていて（図８参照）、閉鎖時においては、出入口１６の口縁との間、並びに両断熱扉３０の対向した縦縁の間がシールされるようになっている。両断熱扉３０が開けられると、出入口１６が仕切りが無い状態で全開可能となる。
【００１７】
機械室１２内には、圧縮機２１、空冷式の凝縮器２２等からなる冷凍装置２０が設置されている。一方、貯蔵室１３の天井部分には、ドレンパンを兼ねたエアダクト２３が張設されて冷却器室２４が形成され、手前側に吸込口２５が、奥側に吹出口２６が設けられており、同冷却器室２４内には冷却器２７が収納され、上記した冷凍装置２０と循環接続されることで冷凍サイクルが構成されているとともに、吸込口２５に臨んで庫内ファン２８が装着されている。  
そして、冷凍装置２０（圧縮機２１）を運転しつつ庫内ファン２８を駆動すると、図２の矢線に示すように、貯蔵室１３の室内空気が吸込口２５から冷却器室２４内に吸引されて、その空気が冷却器２７を流通する間に熱交換により冷気が生成され、その冷気が吹出口２６から貯蔵室１３の奥面に沿うようにして吹き出され、貯蔵室１３内に冷気が循環供給されて冷却される。貯蔵室１３内には複数段にわたって棚網１８が装備され、被貯蔵物は、断熱扉３０を開閉しつつ出入口１６から棚網１８上に出し入れされ、冷却貯蔵されるようになっている。
【００１８】
次に、断熱扉３０の構造について詳細に説明する。  
断熱扉３０は、図３に示すように左右で対をなし、したがって左右対称形状となっており、図７及び図１２に示すように、ステンレス鋼板等の金属製の外装板３２と、合成樹脂製の内装パック３３とを組み付けることで外殻体３１が形成され、この外殻体３１内に、発泡樹脂等の断熱材３４が充填された構造となっている。  
外装板３２は方形の深皿状に形成され、開口周縁に内向きのフランジ３２Ａが形成されている。内装パック３３は、図４に示すように、外装板３２よりも一回り小さい外形の方形板状をなし、中央の大部分が隆起した形状となっている（隆起部３５）。内装パック３３の周縁が、外装板３２のフランジ３２Ａに載せられて固定されることで、上記した外殻体３１が形成されるようになっている。
【００１９】
一部既述したように、各断熱扉３０における揺動端側の縦縁を除いた他の３縁辺、すなわち揺動支点側の縦縁と上下両縁には第１パッキン５０が装着されるようになっている。そのため、断熱扉３０の裏面を構成する内装パック３３における上記した３縁辺には、第１パッキン５０の装着溝３６がコ字形をなして形成されている。  
第１パッキン５０は、合成樹脂材の押出成形によって形成され、所定長さに切断されて使用されるようになっている。第１パッキン５０は、図５に示すように、内部が複数の部屋５２に仕切られた筒状のパッキン本体５１の下面に取付脚５３が突設されるとともに、上面側の一の部屋５２には扁平な角柱状のマグネット５５が緊密に挿入されている。また、パッキン本体５１の上面の内側の端部には、ひれ部５６が張り出し形成されている。ひれ部５６には、下面側に図示２条の溝５７が切られることで上面側に屈曲しやすくなっている。
【００２０】
図６に示すように、第１パッキン５０は、揺動支点側の縦縁用と上下両縁用との３本が備えられ、縦縁用の第１パッキン５０と、上下両縁用の第１パッキン５０との直角に突き合わされる端縁は、４５度に切断されている。上下の第１パッキン５０の開放端には連結部材５１Ａが突設されている。各第１パッキン５０は、それぞれの取付脚５３を対応する装着溝３６に嵌め込むことにより、揺動支点側の縦縁と上下両縁に沿うようにコ字形をなして装着されている。
【００２１】
再び図４に示すように、内装パック３３における第１パッキン５０の装着溝３６の内側、端的には隆起部３５の３周縁に沿った位置において、突堤４０がコ字形の配置で突出形成されている。この突堤４０は、型抜きの関係により概ね断面台形に形成されているが、詳細な構造については後述する。
【００２２】
断熱扉３０における揺動端側の縦縁には、第２パッキン６０が装着されるようになっている。  
第２パッキン６０は、図８に示すように、各断熱扉３０の相手との対向端面３０Ａにおける庫内側の角部付近において、支持部材７０を介して上下方向に延びた形態で配されている。第２パッキン６０は同様に合成樹脂材の押出成形によって形成され、所定長さに切断されて使用される。第２パッキン６０は、相手の第２パッキン６０との対向面側にマグネット６２が埋設されたパッキン本体６１を有し、裏側に連結部６３を介して取付脚６４が突設されている。左右の第２パッキン６０のマグネット６２では、Ｎ極とＳ極が庫外側と庫内側とで逆になるように位置している。
【００２３】
支持部材７０は合成樹脂製であって、全体として帯状に形成されており、図８に示すように、チャンネル形をなす取付部７１の外側壁の上縁から支持板７２が外方に張り出し形成され、その張り出し端側に、第２パッキン６０の取付脚６４を嵌める取付溝７３が形成されているとともに、内側壁の上縁に、内外両側に張り出した開閉板７４が形成され、開閉板７４が閉じた状態では支持板７２と面一に繋がるようになっている。  
第２パッキン６０は、取付脚６４を取付溝７３に嵌めることで支持部材７０に装着される。なお、取付溝７３の庫内側の壁の先端からは、第２パッキン６０のパッキン本体６１の庫内側を遮るようにしてカバー部７５が形成されている。
【００２４】
一方、第２パッキン６０のパッキン本体６１を結露防止用に暖めるべく加熱手段が備えられている。そのため、図４及び図７に示すように、内装パック３３における揺動端側の縦縁に沿うようにして、比較的幅広の装着凹溝３７が形成されている。装着凹溝３７は、その上下両端が、後記する突堤４０の形成位置のさらに内側に留まっている。より詳細には、装着凹溝３７における内側の側縁と上下両縁には、隆起部３５よりも一段低い中位面３８が形成されている。また、上記した隆起部３５における揺動端側の縦縁の上下両端には、所定幅の突出部３５Ａが形成され、同突出部３５Ａの先端は、装着凹溝３７の中央幅付近に位置している。
【００２５】
この装着凹溝３７に、放熱板８０が装着されるようになっている。放熱板８０は、熱伝導性に優れた幅広の帯状をなす金属板を素材としており、図６及び図８に示すように、装着溝３６の溝底にほぼ嵌る底板８１の外側縁から側板８２が立ち上がり形成され、その上縁から全長が長くされた伝熱板８３が外方に張り出し形成され、その張り出し端が二重板状の放熱部８４とされて庫外側に向けて屈曲された形状となっている。
【００２６】
上記した形状の放熱板８０の底板８１が装着凹溝３７の溝底に嵌められて固定され、その底板８１の上面に、コードヒータからなる結露防止用のヒータ８６が全長にわたって配線されている。伝熱板８３は、断熱扉３０の裏面における装着凹溝３７の外側の縦縁領域に載り、放熱部８４が断熱扉３０の対向端面３０Ａから庫外側に傾斜した姿勢で突出する。
【００２７】
上記した第２パッキン６０が装着された支持部材７０は、図３にも示すように、装着凹溝３７を覆うようにして当てられ、取付部７１の底板が装着凹溝３７にねじ８７で止められることで固定される。これに伴い、第２パッキン６０は、断熱扉３０の庫内側の角部から相手の断熱扉３０側に向けて突出した形態で揺動端側の縦縁に沿うように上下に延びて配される。ここで支持部材７０に設けられたカバー部７５が第２パッキン６０のパッキン本体６１の庫内側を遮るように配されるとともに、放熱板８０の放熱部８４が、同パッキン本体６１の庫外側を覆うように配されることになる。  
なお、上記したように第１パッキン５０における両開放端には連結部材５１Ａが突設されていて、各連結部材５１Ａが、第２パッキン６０の上下両端と重なることで、第１パッキン５０と第２パッキン６０との継ぎ目がシールされるようになっている。
【００２８】
内装パック３３の裏面に設けられた突堤４０について詳細に説明する。上記したように、内装パック３３の裏面には、一部既述したように、中央部に縦長の長方形をなす隆起部３５が形成され、その隆起部３５における揺動端側の縦縁の上下両端には、所定幅の突出部３５Ａが、装着凹溝３７の中央幅付近にまで形成されている。  
突堤４０は、図４に示すように、第１パッキン５０の装着溝３６の内側において、隆起部３５の揺動端側の縦縁と上下両縁とに沿うようにしてコ字形の配置で突出形成され、さらに同突堤４０の上下の辺４０Ａの先端は、隆起部３５の突出部３５Ａに亘って延びて形成されている。すなわち、突堤４０の上下の辺４０Ａの先端は、第２パッキン６０の加熱用の放熱板８０を取り付けるための装着凹溝３７の中央幅付近まで延出している。突堤４０は基本的には、図１２に示すように、角を丸めた断面台形状に形成され、第１パッキン５０におけるパッキン本体５１の自然状態の厚さ寸法の２倍程度の高さを有している。
【００２９】
上記した突堤４０における上下の辺４０Ａの先端側の所定の長さ領域（以下、先端部４１という。例えば１００mm程度で、本実施形態では突堤４０の上下の辺４０Ａの全長の１／４程度の長さ。）では、図９ないし図１１に示すように、その外側面４２が、先端縁に向けて次第に内側に傾斜した傾斜面とされている。傾斜の程度は、先端縁では、基端側に対して横幅が約１／２となる程度である。
【００３０】
ここでさらに、突堤４０の上辺４０Ａ（下辺４０Ａも）の先端部４１の外側面４２は、図１１に示すように、突出部３５Ａを含む隆起部３５の表面に対して、直角をなして立ち上がり形成されている。  
また、突堤４０の上辺４０Ａ（下辺４０Ａも）の先端部４１では、図１０及び図１１に示すように、その頂面４３の高さが先端縁に向けて次第に低くなる傾斜状に形成されている。傾斜の程度は、先端縁の高さが、基端側の高さに対して約１／２となる程度である。
【００３１】
断熱扉３０は、例えば以下のような手順で製造される。外装板３２の裏面に内装パック３３が重ねられてリベット等で位置決めされることにより外殻体３１が形成され、外殻体３１内に断熱材３４が発泡充填されることで固定されて断熱扉３０が製造される。  
このように形成された断熱扉３０の装着凹溝３７に対して放熱板８０が装着される。図６に参照して示すように、放熱板８０におけるヒータ８６が配線された底板８１が装着凹溝３７の溝底に嵌められて固定され、伝熱板８３が装着凹溝３７の外側の縦縁領域に載るとともに、放熱部８４が断熱扉３０の対向端面３０Ａから庫外側に傾斜した姿勢で突出する。
【００３２】
次に、第２パッキン６０が装着された支持部材７０が、図８及び図９の鎖線に示すように、装着凹溝３７を覆うようにして当てられ、取付部７１の底板が装着凹溝３７にねじ８７で止められて固定される。このとき、支持部材７０を構成する支持板７２の内側の側縁部の上下両端が、内装パック３３における隆起部３５の突出部３５Ａの先の中位面３８に載せられた状態となり、図１０に示すように、支持板７２の内側の側縁部の表面が、隆起部３５の突出部３５Ａの表面よりも少し低い高さに位置する。
【００３３】
最後に、断熱扉３０の裏面を構成する内装パック３３の３縁辺に亘って設けられたコ字形の装着溝３６に、３本に分割された第１パッキン５０が装着される。第１パッキン５０が装着された場合、同第１パッキン５０に設けられたひれ部５６は、突堤４０のうち揺動支点側の縦辺４０Ｂとともに、先端部４１を除いた上辺４０Ａ並びに下辺４０Ａについては、図１２に示すように、ほぼ立ち上がって突堤４０の外側面の裾側に密着する。  
一方、上辺４０Ａ並び下辺４０Ａの先端部４１では、その外側面４２が先下がりの傾斜面となっているから、図９ないし図１１に示すように、第１パッキン５０のひれ部５６は次第に傾きを緩やかにしながら先端部４１の外側面４２に連続して密着し、先端縁を越えたところではほぼ寝た姿勢となって、隆起部３５の突出部３５Ａの表面からさらに支持部材７０の支持板７２の表面に載って密着した状態となる。  
なお、第１パッキン５０の両開放端に突設された連結部材５１Ａが、第２パッキン６０の上下両端と重なって、継ぎ目がシールされる。
【００３４】
本実施形態は上記のような構造であって、左右の断熱扉３０が閉じられると、断熱扉３０の庫内側の面においてコ字状に装着された第１パッキン５０が、出入口１６の口縁に密着するとともに、両断熱扉３０の対向した端部側では、両第２パッキン６０が対向することにより各マグネット６２同士が吸着し合い、パッキン本体６１自身並びに連結部６３が伸びるように弾性変形しつつ、両パッキン本体６１同士が互いに密着し、左右の断熱扉３０の対向端面３０Ａの間が気密にシールされる。  
ここで、断熱扉３０の裏面における第１パッキン５０の装着位置の内側には、突堤４０がコ字形の配置で突出形成されているから、庫内冷気が第１パッキン５０における庫内側の面に直接当たることが規制されて第１パッキン５０が冷却されることが抑制され、すなわち外気との熱交換が抑えられて冷却効率が高められ、また、第１パッキン５０への結露防止用に冷凍庫本体１０の前面開口部１４側に装備されるヒータの容量が抑えられること等が図られる。
【００３５】
上記のように突堤４０を設けた場合において、ひれ部５６を含めて従前と同一構造の第１パッキン５０を適用した場合、ひれ部５６の先端が突堤４０の外側面における裾部に対して立ち上がった形態で密着することになるが、突堤４０はコ字形にしか配設できない関係上、突堤４０の上辺４０Ａと下辺４０Ａでは開放された先端を持つことになり、各突堤４０の先端から先の部分では、ひれ部５６は断熱扉３０の裏面から浮いた状態になることが懸念される。  
その点本実施形態では、上辺４０Ａ並び下辺４０Ａの突堤４０の先端部４１では、その外側面４２を先下がりの傾斜面としたから、第１パッキン５０のひれ部５６は次第に傾きを緩やかにしながら先端部４１の外側面４２に連続して密着し、先端縁を越えたところではほぼ寝た姿勢となって、隆起部３５の突出部３５Ａの表面からさらに支持部材７０の支持板７２の表面に載って密着する。  
その結果、第１パッキン５０の装着位置の内側に突堤４０を設けてもなお、第１パッキン５０から延出形成されたひれ部５６を、全長に亘って断熱扉３０の裏面に密着させることができ、庫内冷気がひれ部５６の裏側に侵入して第１パッキン５０の庫内側の面に直接に当たることが防止される。
【００３６】
上記のように、第１パッキン５０の両端と第２パッキン６０の上下両端との繋ぎ目は、連結部材５１Ａでシールされた構造とはなっているが、連続しているわけではないので、僅かではあっても隙間ができる可能性があり、その隙間から外気が侵入するおそれがある。その場合に外気は、突堤４０における上下の辺４０Ａの先端部４１の外側面４２に向けて侵入しやすいと言え、結露が生じる可能性がある。特に、突堤４０の上辺４０Ａの先端部４１における外側面４２に生じた結露水について、同突堤４０の頂面４３を越えて断熱扉３０の裏面を下方に向けて伝うように流下すると、庫内冷気に晒されることで氷結し次第に成長するおそれがある。
【００３７】
それに対して、突堤４０の上辺４０Ａの先端部４１では、上記したように外側面４２が先下がりの傾斜面とされており、それに加えて、上辺４０Ａの先端部４１の外側面４２は、突出部３５Ａを含む隆起部３５の表面に対して直角をなして立ち上がり形成されており、さらに、突堤４０の上辺４０Ａの先端は、第２パッキン６０の加熱用の放熱板８０を取り付けるための装着凹溝３７の中央幅付近まで延出している。  
したがって、突堤４０の上辺４０Ａの先端部４１における外側面４２に結露水が生じた場合、同外側面４２が、突出部３５Ａを含む隆起部３５の表面に対して直角をなし、すなわち水平姿勢を採っているから、頂面４３側に流れることが規制されつつ、図９の矢線ａに示すように、同外側面４２の先下がりの傾斜に沿って先端縁に流下し、先端縁から装着凹溝３７を覆って取り付けられた支持部材７０の表面に流下する。支持部材７０の裏面側にはヒータ８６が配されて、同支持部材７０も昇温されているから、除霜水が氷結することが確実に防止される。
【００３８】
また、突堤４０の上辺４０Ａにおける先端部４１では、その頂面４３の高さも先端縁に向けて次第に低くなる傾斜状に形成してあるから、上辺４０Ａの先端部４１の外側面４２に生じた結露水が仮に頂面４３側に回り込んだとしても、図１０の矢線ｂに示すように、同頂面４３の傾斜に倣って伝うようにして先端縁側に導かれ、支持部材７０の表面に向けて流れるようになる。結果、結露水の氷結がより確実に防止される。  
なお、突堤４０の上辺４０Ａの先端部４１の外側面４２を直角に立ち上げたことで、型の抜き勾配について厳しくなるが、同先端部４１の高さを先下がりとしたことにより全体的な抜きの厳しさは緩和される。
【００３９】
さらに本実施形態では、ヒータ８６を装着した放熱板８０を装着するべく設けられた装着凹溝３７について、その上縁が、第１パッキン５０のひれ部５６の密着位置よりも内側に控えた形態で形成されている。  
そのため、仮に第１パッキン５０の両端と第２パッキン６０の上下両端との継ぎ目にできた隙間から外気が侵入したとしても、装着凹溝３７の上縁と第１パッキン５０のひれ部５６の密着位置との間が塞がれた状態にあるから、侵入した外気がさらに装着凹溝３７内に侵入することが防止される。その結果、装着凹溝３７内（支持部材７０の裏面）で結露したり、外気がさらに庫内に漏れ出ることが防止される。
【００４０】
上記のように、第１パッキン５０と第２パッキン６０の隙間から侵入した外気の結露並びに氷結を防止する対策としては、突堤４０のうちの上辺４０Ａの先端部４１の形状に工夫を凝らすことで対処可能であるが、本実施形態では、下辺４０Ａの先端部４１の形状についても上辺４０Ａ側と同様にしており、すなわち内装パック３３を上下対称の形状としている。その結果、同一形状の内装パック３３を左右の断熱扉３０に共通して使用することができ、製造コストの低減に寄与し得る。  
また、突堤４０の先端部４１以外は、縦向きの前面仕切枠を備えたいわゆる十字枠に装着される断熱扉の内装パックと同じ形状としたから、成形金型における先端部４１の成形部を入れ子にしてその他の部分は同一とした金型が使用でき、型費を最小限に抑えることができる。
【００４１】
＜他の実施形態＞
本発明は上記記述及び図面によって説明した実施形態に限定されるものではなく、例えば次のような実施形態も本発明の技術的範囲に含まれる。  
（１）突堤の開放端側での外気侵入に起因した氷結は、主に上辺の開放端側で生じるのであるから、下辺の開放端側では必ずしも氷結防止用の形状を採用する必要はなく、そのようなものも本発明の技術的範囲に含まれる。  
（２）上記実施形態では、上辺の先端部の外側面を、断熱扉の裏面に対して直角をなして立ち上がり形成した場合を例示したが、型抜きが可能である限り、逆テーパ状に立ち上がり形成してもよい。この場合は、外側面上に生じた結露水が頂面側に零れることをより確実に防止できる。
【００４２】
（３）突堤の外側面を、断熱扉の裏面に対して９０度以下の角度をなして立ち上がり形成（直角または逆テーパ状に立ち上がり形成）することについては、突堤の全長に亘って施しても良い。  
（４）突堤の外側面上での結露の発生が生じ難い等の場合には、突堤の外側面を順テーパ状に留めてもよく、そのようなものも本発明の技術的範囲に含まれる。  
（５）上記実施形態では、突堤の上辺の先端を、第２パッキンの加熱用の放熱板を取り付けるための装着凹溝の中央幅付近まで延出した場合を例示したが、
第２パッキンの加熱用のヒータによる熱の影響を受ける場所であれば、延出位置は任意に設定できる。
【００４３】
（６）上記実施形態では、突堤の上辺の先端部において、その頂面の高さも先端縁に向けて次第に低くなる傾斜状に形成した場合を例示したが、一定高さに留めてもよく、そのようなものも本発明の技術的範囲に含まれる。  
（７）本発明は、上記実施形態に例示した４ドア式の縦型冷凍庫に限らず、例えば２ドア式等のドア数の異なる冷凍庫や、その他に冷蔵庫や冷凍冷蔵庫等、要は、ワイドスルー式の扉構造を備えた冷却貯蔵庫全般に広く適用することができる。
【符号の説明】
【００４４】
１０…冷凍庫本体（貯蔵庫本体）  １４…前面開口部  １６…出入口  ３０…断熱扉  ３６…装着溝  ３７…装着凹溝  ４０…突堤  ４０Ａ…（突堤４０の）上下の辺  ４１…先端部  ４２…（先端部４１の）外側面  ４３…（先端部４１の）頂面  ５０…第１パッキン  ５６…ひれ部  ６０…第２パッキン  ７０…支持部材  ８０…放熱板  ８４…放熱部（張出部）  ８６…ヒータ
【図１】
0005405426.tif 000002
【図２】
0005405426.tif 000003
【図３】
0005405426.tif 000004
【図４】
0005405426.tif 000005
【図５】
0005405426.tif 000006
【図６】
0005405426.tif 000007
【図７】
0005405426.tif 000008
【図８】
0005405426.tif 000009
【図９】
0005405426.tif 000010
【図１０】
0005405426.tif 000011
【図１１】
0005405426.tif 000012
【図１２】
0005405426.tif 000013